(57)【特許請求の範囲】
【請求項１】
アーチ弦材を骨組部材として組み立てられる伸縮式骨組構造体と、この伸縮式骨組構造体に張架されるシート状膜材とによって構成されるテント構造物であって、
前記伸縮式骨組構造体は、前記２本のアーチ弦材を組として、アーチ弦材の両側部においてアーチ弦材を交差させるとともに、該交差点を軸部材によって軸支しＸ状に開閉可能としたアーチ弦材ユニットとし、前記アーチ弦材ユニットを縦列方向に並べるとともに、隣接するアーチ弦材ユニット間において、アーチ弦材の頂部同士を水平軸回りに回動可能に連結するとともに、アーチ弦材の下端部同士を水平軸回りに回動可能に連結した構造によって伸縮自在とし、
前記シート状膜材は、前記各アーチ弦材ユニットとの接合関係において、テント構造物中心線を境に一方側では２本のアーチ弦材の内、一方側アーチ弦材に沿って接合され、前記中心線を境に他方側では２本のアーチ弦材の内、他方側アーチ弦材に沿って接合されることにより張架されていることを特徴とする伸縮式テント構造物。
【発明の詳細な説明】
【０００１】
【発明の属する技術分野】
本発明は、部材数が少なく構造が簡単で、かつ外形寸法もコンパクトにできる伸縮式テント構造物に関する。
【０００２】
【従来の技術】
従来より、自由に伸縮自在とされるテント構造物として、蛇腹式倉庫テント構造物が知られている。この蛇腹式倉庫テント構造物は、図１０に示されるように、２枚の架構面材を一組として相互に横連結材および斜材などでトラス組みした端部架構５０，５１と、これら端部架構５０、５１の中間に配置される中間架構５２，５２…とをＸ形状の横繋ぎ部材５３，５３…（以下、Ｘバー部材という。）により連結し、その外面を膜材により覆った構造のものである。前記Ｘバー部材５３は、図１１に示されるように、両斜材の下端が共に固定とされ、かつ上端が架構の高さ方向にスライド可能となっており、一方の端部架構５０（５１）および中間架構５２，５２…を他方の端部架構５１（５０）側に移動させることにより前記Ｘバー部材５３が折り畳まれ、テント構造物が伸縮自在または開閉自在に構成されている。
【０００３】
【発明が解決しようとする課題】
しかしながら、使用用途が屋外に保管または放置される品物等を保護したり、異臭を伴うものなどの異臭拡散防止などの用途である場合には、前記蛇腹式倉庫テント構造物では形状寸法が大きくなり過ぎて取り扱いが非常に不便である。
【０００４】
すなわち、従来のＸバー部材５３を用いた伸縮式テント屋根構造物の場合には、前記Ｘバー部材５３のスライド長を見込んで架構高さを決定しなければならず、テント屋根構造物の高さ寸法を小さくできない、また前記Ｘバー部材５３、５３…は折り畳んでも有る程度の幅寸法を取るため、折り畳み時の容積率（全展開時に対する容積比率）は通常４０％程度にしかできず、収納性および可搬性に欠けるなどの問題があった。
【０００５】
さらに、主たる骨組部材たる架構群５０〜５２の他に、これらを連結するＸバー部材５３、５３…を必要とするため、部材数が多くなるとともに、図１１に示されるように、各架構５０〜５２の壁部骨組部分にＸバー部材５３をスライド可能とする構造としなければならず、その分構造が複雑となり、製作手間が多く掛かるようになるなどの問題もある。
【０００６】
そこで本発明の主たる課題は、部材数が少なくて済むとともに、構造が簡単で、かつ外形寸法もコンパクトに出来る、さらに収縮時の寸法が小さくでき、収納性・可搬性に優れるなどの利点を有する伸縮式テント構造物を提供することにある。
【０００７】
【課題を解決するための手段】
前記課題を解決するための本発明は、アーチ弦材を骨組部材として組み立てられる伸縮式骨組構造体と、この伸縮式骨組構造体に張架されるシート状膜材とによって構成されるテント構造物であって、
前記伸縮式骨組構造体は、前記２本のアーチ弦材を組として、アーチ弦材の両側部においてアーチ弦材を交差させるとともに、該交差点を軸部材によって軸支しＸ状に開閉可能としたアーチ弦材ユニットとし、前記アーチ弦材ユニットを縦列方向に並べるとともに、隣接するアーチ弦材ユニット間において、アーチ弦材の頂部同士を水平軸回りに回動可能に連結するとともに、アーチ弦材の下端部同士を水平軸回りに回動可能に連結した構造によって伸縮自在とし、
前記シート状膜材は、前記各アーチ弦材ユニットとの接合関係において、テント構造物中心線を境に一方側では２本のアーチ弦材の内、一方側アーチ弦材に沿って接合され、前記中心線を境に他方側では２本のアーチ弦材の内、他方側アーチ弦材に沿って接合されることにより張架されていることを特徴とするものである。
【０００８】
前記伸縮式骨組構造体の伸縮を阻害しないシート状膜材の張架方法として、前記各アーチ弦材ユニットとの接合関係において、テント構造物中心線を境に一方側では２本のアーチ弦材の内、一方側アーチ弦材に沿って接合され、前記中心線を境に他方側では２本のアーチ弦材の内、他方側アーチ弦材に沿って接合されることにより張架されている構造を採用している。この方法の利点はシート状膜材が骨組構造体と、より一体化されるため、綺麗に折り畳まれるようになり取り扱いが容易になることが挙げられる。
【０００９】
【発明の実施の形態】
以下、本発明の実施の形態について図面を参照しながら詳述する。図１は本発明に係る伸縮式テント構造物１の全体斜視図であり、図２は平面図、図３は横断面図である。
【００１０】
本伸縮式テント構造物１は、図１に示されるように、半円弧状のアーチ弦材２、２…を骨組部材として伸縮自在に構築された骨組構造体３と、この骨組構造体３に張架されるシート状膜材４とによって構成される、略ヴォールト形状のテント構造体である。主たる用途としては、屋外に保管される資材等の防護や、肥料や堆肥などの貯蔵、農作物の防護・仮置き等に供されるものであるが、用途は何ら問わない。
【００１１】
〔骨組構造体〕
骨組構造体３の組立は、２本のアーチ弦材２、２を組として、アーチ弦材２、２の両側部においてアーチ弦材２、２を交差させるとともに、該交差点を軸部材６によって軸支しＸ状に開閉可能としたアーチ弦材ユニット５、５…を複数組み立てる。より具体的には、図３に示されるように、２本のアーチ弦材２、２を組として、水平方向に若干ずらしながら重ね合わせ、両側部のアーチ弦材２、２を交差させるようにし、次いで、テント高さＨの略Ｈ／２の位置において水平方向に軸部材６を貫通させて軸支し、Ｘ状に開閉可能としたアーチ弦材ユニット５、５…を複数、図示例では８体組み立てる。
【００１２】
次に、前記アーチ弦材ユニット５を縦列方向に並べ、隣接するアーチ弦材ユニット５、５間において、アーチ弦材２、２の頂部同士を水平軸回りに回動可能に連結するとともに、アーチ弦材２、２の下端部同士を水平軸回りに回動可能に連結した構造とする。
【００１３】
前記アーチ弦材２、２の頂部連結構造は、たとえば図５に示されるように、通孔が形成されたフランジ１０を溶接等で固定し、このフランジ１０、１０を重ね合わせるとともに、フランジ１０、１０の通孔を貫く軸部材１１を挿入することにより該連結部を中心点として水平軸回りに回動可能に連結する。
【００１４】
一方、アーチ弦材２、２の下端部同士の連結部構造は、アーチ弦材２、２の下端部をテントの幅方向に重ねて、これらアーチ弦材２、２の下端部を水平方向に貫く軸部材１２を挿入することにより水平軸回りに回動可能に連結する。
【００１５】
さらに、両妻面には、それぞれ同形状の端部アーチ弦材７を持ち込み、アーチ弦材２、７の頂部同士を水平軸回りに回動可能に連結するとともに、端部アーチ弦材７と隣接するアーチ弦材ユニット５の下端部とを補助アーチ弦材８によって回動可能に連結する。
【００１６】
かかる骨組構造体３は、使用時には図６に示されるように伸長され、屋外に保管される資材等を風雨から防護したり、肥料や堆肥などの臭気が外部に拡散しないように貯蔵する。また、使用しない時は、図７に示されるように、収縮され倉庫などに収納される。
【００１７】
本発明に係る骨組構造体の特徴は、いわば骨組部材たるアーチ弦材２、２が、丁度従来のＸバー部材５３（図１０参照）を兼用する構造となっていることである。したがって、Ｘバー部材５３を必要としないため、その分、部材数を少なくすることが可能になるとともに、構造を簡単に出来るようになる。また、収納時の寸法も小さくでき、収納性・可搬性に優れるようになる。さらに、従来の骨組部材の壁部にＸバー部材５３のスライド代を確保する必要がないため、外形寸法もコンパクトに出来るようになるなどの利点がもたらされるようになる。
【００１８】
〔膜材の張架構造〕
従来のＸバー部材による伸縮構造の場合には、端部架構５０、５１および中間架構５２、５２…が平行配置となっているため、膜材を前記架構群に接合しても伸縮可能である。しかし、本発明に係るテント構造物の骨組構造体は、アーチ弦材２、２…が平行配置とはなっておらず、膜材を各アーチ弦材２、２…に接合すると、骨組構造体３が伸縮できなくなってしまう。
【００１９】
そこで、本テント構造物１では前記骨組構造体３の伸縮を阻害しないシート状膜材４の張架方法として、２つの方法が提案される。まず、その第１方法を図８に示す。図中では骨組に沿って接合する部分を実線で、接合しない部分を点線で示している。
【００２０】
図８(B)にアーチ弦材ユニット５を単体で取り出してその接合構造を説明すると、本膜材張架方法は、シート膜材４をテント構造物中心線Ｌを境に一方側では２本のアーチ弦材２、２の内、一方側アーチ弦材に沿って接合し、前記中心線Ｌを境に他方側では２本のアーチ弦材２、２の内、他方側アーチ弦材に沿って接合するようにしたものである。図８(A)の全体平面図に示すように、接合線は丁度、楕円１／４円弧線を点対称状に連続させた接続線１３、１３…が平行配列された接合形状となり、すべての接合線１３、１３…が平行であるため、張架されたシート状膜材４は骨組構造体３の伸縮を阻害することが無く、折り畳まれながら収納されるようになる。
【００２１】
次いで、第２の方法は、図９に示されるように、前記アーチ弦材２の両側部の連結点（軸部材６部位）、アーチ弦材頂部の連結点（軸部材１１部位）およびアーチ弦材下端部（軸部材１２部位）の各連結点を係止部として張架する方法である。これらアーチ弦材２、２…の連結点部位を支持点としてシート状膜材４を張架することにより、各膜材支持点の平行関係が保たれるようになるため、張架されたシート状膜材４は骨組構造体３の伸縮を阻害することが無く、折り畳まれながら収納されるようになる。
【００２２】
【発明の効果】
以上詳説のとおり本発明によれば、部材数が少なくて済むとともに、構造が簡単で、かつ外形寸法もコンパクトに出来る、さらに収縮時の寸法を小さくでき収納性・可搬性に優れるなどの利点を有する伸縮式テント構造物を提供できるようになる。
【図面の簡単な説明】
【図１】  本発明に係る伸縮式テント構造物１の全体斜視図である。
【図２】  その平面図である。
【図３】  その横断面図である。
【図４】  本伸縮式テント構造物１の要部側面図である。
【図５】  アーチ弦材２、２の頂部連結部構造を示す断面図である。
【図６】  伸縮式テント構造物１の伸長状態側面図である。
【図７】  伸縮式テント構造物１の収縮状態側面図である。
【図８】  シート状膜材４の第１の張架方法を示す、(A)は接合部を示す骨組平面図、(B)はアーチ弦材ユニット５を取り出して接合部を説明した骨組平面図である。
【図９】  シート状膜材４の第２の張架方法を示す横断面図である。
【図１０】  従来の蛇腹式倉庫テントを示す側面図である。
【図１１】  Ｘバー部材５３のスライド構造部を示す要部側面図である。
【符号の説明】
１…伸縮式テント構造物、２…アーチ弦材、３…骨組構造体、４…シート状膜材、５…アーチ弦材ユニット、６・１１・１２…軸部材、７…端部アーチ弦材、８…補助アーチ弦材
【図１】
0004485041.tif 000002
【図２】
0004485041.tif 000003
【図３】
0004485041.tif 000004
【図４】
0004485041.tif 000005
【図５】
0004485041.tif 000006
【図６】
0004485041.tif 000007
【図７】
0004485041.tif 000008
【図８】
0004485041.tif 000009
【図９】
0004485041.tif 000010
【図１０】
0004485041.tif 000011
【図１１】
0004485041.tif 000012